(57)【要約】【課題】  過去に起きた環境変化の情報を欲しているユーザは、過去に何が起きていたのか等の詳細な情報を知ることができ、一方、過去に起きた環境変化の情報を欲していないユーザは、現在行っている活動を妨げる惧れがない環境変化伝達装置および環境変化伝達方法を提供することを目的とするものである。【解決手段】  提示されている情報に、ユーザが注目しているか否かを判別し、提示されている情報にユーザが注目しているときにのみ、詳細な情報を提示し、提示されている情報に、ユーザが注目していない場合には、低刺激な表現によって情報の概要情報（たとえば痕跡）を提示する環境変化伝達装置および環境変化伝達方法である。【選択図】  図１
2005027216.tif 000002
【特許請求の範囲】
【請求項１】
所定の情報を提示する所定情報提示手段と；
上記提示されている情報に、ユーザが注目しているかどうかを判別する注目判別手段と；
上記提示されている所定情報にユーザが注目しているときにのみ、上記提示されている所定情報に関する詳細な情報を提示する詳細情報提示手段と；
を有することを特徴とする環境変化伝達装置。
【請求項２】
請求項１において、
上記提示されている所定の情報には、上記提示されている所定の情報を特定する情報特定マーカが付与され、
上記注目判別手段は、カメラが設けられている携帯端末が、上記提示されている所定の情報に近付いたときに、上記提示されている所定情報にユーザが注目していると判断する手段であり、
上記情報特定マーカを、上記携帯端末に設けられている携帯端末用カメラが認識したときに、上記カメラが認識した上記情報特定マーカを受信する情報特定マーカ受信手段と；
情報特定マーカと詳細情報とが対応して格納されている環境データベースと；
上記情報特定マーカ受信手段が受信した情報特定マーカに基づいて、上記環境データベースから、対応する詳細情報を検索する詳細情報検索手段と；
上記詳細情報検索手段が検索した詳細情報を出力する詳細情報出力手段と；
を有し、上記詳細情報提示手段は、上記携帯端末の画面であり、上記詳細情報出力手段が出力した詳細情報を提示する画面であることを特徴とする環境変化伝達装置。
【請求項３】
請求項２において、
上記注目判別手段は、上記携帯端末の位置を３次元的に検出し、上記携帯端末と上記提示されている情報との位置関係が、所定の位置関係であれば、上記提示されている情報をユーザが注目していると判断する手段であり、
上記携帯端末から所定の範囲内に、上記提示されている情報が存在し、しかも、上記携帯端末が向いている方向から所定の角度内に、上記提示されている情報が存在していれば、上記提示されている情報の詳細情報を上記携帯端末に出力することを特徴とする環境変化伝達装置。
【請求項４】
請求項３において、
上記注目判別手段は、上記携帯端末と上記提示されている情報との位置関係を定期的に計測する手段であり、
上記携帯端末から所定の範囲内に、上記提示されている情報が存在しなくなった場合、上記携帯端末が向いている方向から所定の角度内に、上記提示されている情報が存在しなくなった場合、上記情報特定マーカを捕捉できなくなった場合のうちのいずれかの場合に、上記提示されている情報の詳細情報を上記携帯端末に出力することを停止することを特徴とする環境変化伝達装置。
【請求項５】
請求項１において、
上記注目判別手段は、携帯端末を特定する携帯端末特定マーカが表示されている携帯端末と上記提示されている情報との位置関係が、所定の位置関係であれば、ユーザが注目していると判断する手段であり、
上記提示されている情報の詳細情報を格納している環境データベースと；
上記携帯端末特定マーカと、上記携帯端末の近くに提示されている情報とを認識する携帯端末・情報特定カメラと；
上記携帯端末・情報特定カメラが認識した上記携帯端末特定マーカに基づいて、上記携帯端末を特定する携帯端末特定手段と；
上記携帯端末・情報特定カメラが認識した上記提示されている情報に対応する詳細情報を、上記環境データベースから検索する詳細情報検索手段と；
上記詳細情報検索手段が検索した詳細情報を、上記携帯端末特定手段が特定した上記携帯端末に出力する詳細情報出力手段と；
を有し、上記詳細情報提示手段は、上記携帯端末の画面であり、上記詳細情報出力手段が出力した詳細情報を提示する画面であることを特徴とする環境変化伝達装置。
【請求項６】
請求項１〜請求項５のいずれか１項において、
ユーザが移動した場合、上記移動後の状態に応じて、提示すべき詳細情報を変化させることを特徴とする環境変化伝達装置。
【請求項７】
所定の情報を提示する所定情報提示段階と；
上記提示されている情報に、ユーザが注目しているかどうかを判別する注目判別段階と；
上記提示されている所定情報にユーザが注目しているときにのみ、上記提示されている所定情報に関する詳細な情報を提示する詳細情報提示段階と；
を有することを特徴とする環境変化伝達方法。
【請求項８】
請求項７において、
上記提示されている所定の情報には、上記提示されている所定の情報を特定する情報特定マーカが付与され、
上記注目判別段階は、カメラが設けられている携帯端末が、上記提示されている所定の情報に近付いたときに、上記提示されている所定情報にユーザが注目していると判断する段階であり、
上記情報特定マーカを、上記携帯端末に設けられている携帯端末用カメラが認識したときに、上記カメラが認識した上記情報特定マーカを受信する情報特定マーカ受信段階と；
上記情報特定マーカ受信段階で受信した情報特定マーカに基づいて、上記情報特定マーカと詳細情報とが対応して格納されている環境データベースから、対応する詳細情報を検索する詳細情報検索段階と；
上記詳細情報検索段階で検索した詳細情報を出力する詳細情報出力段階と；
を有し、上記詳細情報提示段階は、上記詳細情報出力段階で出力した詳細情報を、上記携帯端末の画面に提示する段階であることを特徴とする環境変化伝達方法。
【請求項９】
請求項８において、
上記注目判別段階は、上記携帯端末の位置を３次元的に検出し、上記携帯端末と上記提示されている情報との位置関係が、所定の位置関係であれば、上記提示されている情報をユーザが注目していると判断する段階であり、
上記携帯端末から所定の範囲内に、上記提示されている情報が存在し、しかも、上記携帯端末が向いている方向から所定の角度内に、上記提示されている情報が存在していれば、上記提示されている情報の詳細情報を上記携帯端末に出力することを特徴とする環境変化伝達方法。
【請求項１０】
請求項９において、
上記注目判別段階は、上記携帯端末と上記提示されている情報との位置関係を定期的に計測する段階であり、
上記携帯端末から所定の範囲内に、上記提示されている情報が存在しなくなった場合、上記携帯端末が向いている方向から所定の角度内に、上記提示されている情報が存在しなくなった場合、上記情報特定マーカを捕捉できなくなった場合のうちのいずれかの場合に、上記提示されている情報の詳細情報を上記携帯端末に出力することを停止することを特徴とする環境変化伝達方法。
【請求項１１】
請求項７において、
上記注目判別段階は、携帯端末を特定する携帯端末特定マーカが表示されている携帯端末と上記提示されている情報との位置関係が、所定の位置関係であれば、ユーザが注目していると判断する段階であり、
上記携帯端末特定マーカと、上記携帯端末の近くに提示されている情報とを認識する携帯端末・情報特定カメラと；
上記携帯端末・情報特定カメラが認識した上記携帯端末特定マーカに基づいて、上記携帯端末を特定する携帯端末特定段階と；
上記携帯端末・情報特定カメラが認識した上記提示されている情報に対応する詳細情報を、上記提示されている情報の詳細情報を格納している環境データベースから検索する詳細情報検索段階と；
上記詳細情報検索段階で検索した詳細情報を、上記携帯端末特定段階で特定した上記携帯端末に出力する詳細情報出力段階と；
を有し、上記詳細情報提示段階は、上記詳細情報出力段階が出力した詳細情報を、上記携帯端末の画面に提示する段階であることを特徴とする環境変化伝達方法。
【請求項１２】
請求項７〜請求項１１のいずれか１項において、
ユーザが移動した場合、上記移動後の状態に応じて、提示すべき詳細情報を変化させることを特徴とする環境変化伝達方法。
【発明の詳細な説明】
【技術分野】
【０００１】
本発明は、ユビキタスコンピューティング技術およびＡｕｇｍｅｎｔｅｄ  Ｒｅａｌｉｔｙ技術を用いた環境の変化の伝達方法に関する。
【背景技術】
【０００２】
我々が活動する実環境では、日々様々な変化がおきている。たとえば、そこで活動する人がその場にある物（本、机、コップ等）を、別の場所に動かしたり、壊したりする。また、時間が経つにつれ、壁に貼ってあるポスター類は、日に焼けて色褪せ、また、掃除をしていない部屋には、徐々に埃がたまる。
【０００３】
環境内で活動する人も、実環境を構成する一部であると考えれば、人の移動やしぐさも、その環境に起きた変化であると捉えることができる。そして我々は、これらの変化を日々認識し、活動に役立てている。
【０００４】
たとえば、その場にあった筈の本がなくなっていることに気付いたら、周りの人に、どこにいったのか聞いてみる。また、部屋に埃がたまってきたことに気付いたら、そろそろ掃除をしようと思う。喫茶店の前に人が並んでいたら、その喫茶店が美味しい店であると思い、今度入ってみようと考えるかもしれない。このように、我々は、環境に起きている変化を認識し、今後の行動の指針にしていると考えられる。
【０００５】
しかし、我々は、環境に起きた全ての変化に気付くことはできない。たとえば、その場（環境）に自身がいなかったときに起きた変化を知ることはできない。人は、様々な場所に移動するので、それぞれの環境ではごく一部の変化にしか気付くことができない。そのために、今後の行動に役立つ可能性のある変化を認識できないという欠点があり、一握りの変化にしか気付かないので、誤解することがあるという欠点がある。
【０００６】
たとえば、上記喫茶店の例では、行列から、喫茶店が美味しいと判断するかもしれないが、朝夜の通勤時に、その喫茶店の前を通る人は、昼間、喫茶店が混雑していることに気付くことはできない。また、たまたま通りかかったある喫茶店の前に行列ができていたとしても、もしかしたら、そのときに偶然団体客が来ていただけで、普段は全然混雑していないので、たいして美味しくない喫茶店であると誤って、判断するという欠点がある。
【０００７】
このような欠点を克服するために、環境内に起きた変化を、一定期間、環境内に提示し続けるという試みが行われている（たとえば、非特許文献１〜４参照）。これらの研究では、人々に変化が起きたことを伝達するために、環境内に起きた変化をセンサで認識し、認識された変化に基づいて、プロジェクタ等を用いて、環境内で、痕跡を人工的に提示する。
【０００８】
たとえば、Ｏｐｔｉｃａｌ  Ｓｔａｉｎ（たとえば、非特許文献１〜４参照）では、掲示板周辺で起きた変化（掲示物が貼られた、はがされた、人が立ち止まって掲示物を見ていった等の変化）を、定期的にキャプチャされた画像から認識し、プロジェクタを用いて、変化がおきた部分に、痕跡（スポットライト）を、一定時間提示する。そして、提示されている痕跡は、時間が経つにつれて色褪せて消える。その場を通りかかった人は、環境内に人工的に提示されている痕跡を手がかりに、環境内にどのような変化が起きたのか、またその変化はどのくらいの頻度で起きたのかを知ることができる。
【０００９】
上記Ｏｐｔｉｃａｌ  Ｓｔａｉｎで提示されている痕跡という形の情報は、点滅したり震えるというような目を引く表現ではなく、人間が認識できないほどゆっくりしたスピードで消え、非常に低刺激で控え目な表現を用いている。このような表現を用いることによって、人は、現在行っている活動を妨げられることなく、環境に起きている変化を感じとることができる。
【００１０】
つまり、上記表現は、現在行っている活動（foreground task）を継続しながら、無意識理に処理（background task）するのに適しているといえる。Ｗｉｓｎｅｓｋｉらは、このように、認知の周縁で無意識理に処理可能な情報の提示方法を、Ａｍｂｉｅｎｔ  Ｄｉｓｐｌａｙｓと定義している（たとえば、非特許文献５参照）。
【非特許文献１】白井良成、大和田龍夫、亀井剛次、桑原和弘：Optical Stain：過去の変化を表出する実環境，WISS2001（インタラクティブシステムとソフトウェアIX），2001
【非特許文献２】白井良成、大和田龍夫、亀井剛次、桑原和弘：過去の変化を表出する実環境，第６４回情報処理学会全国大会，2002
【非特許文献３】白井良成、大和田龍夫、亀井剛次、桑原和弘：実環境指向のアウェアネス情報とその提示手法，情報処理学会論文誌，Vol43，No.12，pp3653-3663，2002
【非特許文献４】白井良成：実環境指向のアウェアネス情報とその提示手法，第１４回言いたい放題の合宿研究会資料，日本ファジィ学界  ファジィ・コンピューティング研究部会ワークショップ，2002
【非特許文献５】Craig Wisneski, Hiroshi Ishii, Andrew Dahley, Matt Gorbet, Scott Brave, Brygg Ullmer, Paul Yarin：Ambient Displays：Turning Architectural Space into an Interface between People and Digital Information, in the Proceedings of the First International Workshop on Cooperative Buildings(CoBuild '98), 1998
【非特許文献６】暦本純一：簡易性とスケーラビリティを考慮した拡張現実感システムの提案，インタラクティブシステムとソフトウェアIII（WISS'95），pp49-56，1995
【非特許文献７】塚本昌彦：実空間利用のためのビジュアルなコンピュータ間通信方式，情報処理学会研究報告（モーバイルコンピューティング研究会2000-MBL-12），Vol.2000，No.14，pp25-32，2000
【非特許文献８】暦本純一、SmartSkin：複数の手の位置と形状を認識するセンサーとその応用，インタラクション2002，2002
【発明の開示】
【発明が解決しようとする課題】
【００１１】
従来例である上記Ｏｐｔｉｃａｌ  Ｓｔａｉｎでは、掲示物がはがされたときに残る掲示物の形をした人工的な痕跡が、実際に何を表しているのか、また、過去に貼られていた掲示物は何だったのか等を知ることができない。
【００１２】
無意識に処理する表現は、この場所で過去に何らかの変化が起きたことを気付くきっかけにはなるが、その痕跡が実際に何を示しているのか、たとえば、誰が何をどの程度したのか、そこには何があったのか等の詳細な情報を知りたいユーザにとっては、適切な表現とはいえない。
【００１３】
上記Ｏｐｔｉｃａｌ  Ｓｔａｉｎでは、カメラからキャプチャされた画像に基づいて、痕跡を生成しているので、元となる画像や映像を提示することによって、痕跡が何を示しているかを伝達することは可能である。しかし、過去の画像や映像を直接提示する方法は、痕跡等による提示方法よりも、明確で刺激的であり、過去に起きた環境変化の情報を欲していないユーザには、現在行っている活動を妨げる惧れがある。
【００１４】
つまり、痕跡による提示のように、過去に起きた環境変化の概要情報を、低刺激で提示する方法は、ユーザの活動を妨げずに、情報を伝達できる反面、過去に起きた環境変化の情報を欲しているユーザには、過去に何が起きていたのか等の詳細な情報を知ることができないという問題がある。
【００１５】
一方、過去に起きた環境変化を、画像や映像で直接的に提示する方法は、過去に起きた環境変化を詳細に知ることができる反面、過去に起きた環境変化の情報を欲していないユーザには、冗長な提示表現であり、ユーザの活動を妨げる惧れがあるという問題がある。
【００１６】
本発明は、過去に起きた環境変化の情報を欲しているユーザは、過去に何が起きていたのか等の詳細な情報を知ることができ、一方、過去に起きた環境変化の情報を欲していないユーザは、現在行っている活動を妨げる惧れがない環境変化伝達装置および環境変化伝達方法を提供することを目的とするものである。
【課題を解決するための手段】
【００１７】
本発明は、提示されている情報に対するユーザの注目度に応じて、環境変化伝達装置が提示する情報の内容を、動的に変化させる。
【００１８】
本発明では、提示されている情報について、ユーザが注目していることを、ユーザが明示する方法を採用し、具体的には、ユーザが所有する携帯端末を、提示されている情報に翳す（かざす）ことによって、ユーザが注目していることを明示する。また、翳している携帯端末を、提示されている情報に近づけることによって、その提示されている情報に、ユーザがより注目していると判断する。
【００１９】
そして、本発明は、ユーザの注目度に基づいて、提示されている情報の詳細情報をユーザに提示する。
【００２０】
つまり、本発明は、提示されている情報に、ユーザが注目しているか否かを判別し、提示されている情報にユーザが注目しているときにのみ、詳細な情報を提示し、提示されている情報に、ユーザが注目していない場合には、低刺激な表現によって情報の概要情報（たとえば痕跡）を提示する環境変化伝達装置および環境変化伝達方法である。
【発明の効果】
【００２１】
本発明によれば、過去に起きた環境変化の情報を欲しているユーザは、過去に何が起きていたのか等の詳細な情報を知ることができ、一方、過去に起きた環境変化の情報を欲していないユーザは、現在行っている活動を妨げる惧れがないという効果を奏する。
【発明を実施するための最良の形態】
【００２２】
まず、以下の実施例および特許請求の範囲において使用されている各用語の定義について説明する。
【００２３】
「環境」は、所定の時空間中に存在する全ての物とその状態（属性とも言える）とである。上記時空間に生活する人間を含む生物と、書籍、鉛筆等の無生物とは、上記物に属し、環境である。
【００２４】
「環境の変化」は、上記時空間中に存在する物が時間の経過によって変化すること、または、物の状態（または、物の属性）が変化することであり、特に、人が特定の環境に留まり続け、長時間その環境を見続けていれば、人間が気付くことができる変化である。たとえば、人が立ち止まって、去っていくことや、写真や絵画等の色が時間の経過に伴い変色すること等は、人間が長時間見続けていれば気付くことができるので、環境の変化である。
【００２５】
「環境変化伝達装置」は、上記「環境の変化」を人工的に伝達する装置である。同じ環境に留まり、長時間その場を見続けることが殆ど不可能であるという状況において、環境変化伝達装置は、環境の変化を検出し、検出した環境の変化を人工的に伝達することによって、その場に長時間居続けられなかった人にも、環境の変化を伝達することを目的とする。なお、環境の変化の具体的な認識方法や出力方法に関しては、上記参考文献に開示されている。
【実施例１】
【００２６】
図１は、本発明の実施例１である環境変化伝達装置Ａ１の構成例を示すブロック図である。
【００２７】
環境変化伝達装置Ａ１は、環境の変化を検出する環境検出センサ１０と、ユーザの注目度を示す情報を計測する注目度計測センサ２０と、処理装置３０と、上記環境の情報を蓄積する環境データベース４０と、環境に関する過去の変化を示す情報（詳細情報）を提示する情報提示装置５０とによって構成されている。
【００２８】
処理装置３０は、環境情報取得部３１、環境変化抽出部３２、環境情報・環境変化登録部３３、注目度取得部３４、注目度認識部３５、変化情報検索部３６、提示方法決定部３７、変化情報出力部３８によって構成される。
【００２９】
環境情報取得部３１は、環境検出センサ１０から得られたデータを取得し、環境変化抽出部３２と環境情報・環境変化登録部３３とにデータを渡す。環境変化抽出部３２は、環境情報取得部３１から受け取った最新のデータと、環境データベース４０に蓄積されている過去のデータとを比較し、環境に起きた変化を抽出する。
【００３０】
環境情報・環境変化登録部３３は、環境情報取得部３１から受信したデータと、環境変化抽出部３２が抽出した変化情報とを、環境データベース４０に蓄積する。注目度取得部３４は、注目度計測センサ２０からデータを取得し、注目度認識部３５に渡す。注目度認識部３５は、注目度取得部３４から受信したデータと、環境データベース４０に蓄積されている提示方法に関する情報とを比較し、提示されている情報Ｉに対するユーザの注目度合いを推定する。
【００３１】
変化情報検索部３６は、過去の一定時間内に起きた変化情報を、環境データベース４０から検索し、提示方法決定部３７に渡す。
【００３２】
提示方法決定部３７は、変化情報検索部３６から受け取った変化情報と、注目度認識部３５から受け取った現在のユーザの注目度合いとに基づいて、適切な提示方法を決定する。つまり、提示されている情報Ｉに、ユーザが注目しているか否かを判別し、提示されている情報Ｉにユーザが注目しているときにのみ、詳細な情報を提示し、提示されている情報Ｉに、ユーザが注目していない場合には、低刺激な表現によって情報の概要情報（たとえば痕跡）を提示する。
【００３３】
変化情報出力部３８は、決定された提示方法による情報を、情報提示装置５０に出力する。
【００３４】
カメラＣｐは、環境検出センサ１０の例であり、また、注目度計測センサ２０の例でもあり、プロジェクタＰに搭載されている。プロジェクタＰは、情報提示装置５０の例である。
【００３５】
［処理の流れ］
図２は、上記実施例における処理の流れを示すフローチャートである。
【００３６】
カメラＣｐが画像を取り込むと（Ｓ１）、カメラＣｐから取り込まれた画像は、環境データベース４０に蓄積される。次に、環境データベース４０に蓄積されている過去の画像と、取得した最新の画像とを比較し、環境に起きた変化が抽出され（Ｓ２）、抽出結果が、環境データベース４０に登録される（Ｓ３）。
【００３７】
取り込まれた画像と、環境データベース４０に保存されている現在出力中の情報（出力位置等）とを比較することによって、提示されている情報Ｉに対するユーザの注目度合いを推定する（Ｓ４）。つまり、後述するように、取り込まれた画像中に、提示されている情報Ｉと、携帯端末のＬＥＤ付アンテナのＬＥＤとが含まれていれば、上記提示されている情報Ｉにユーザが注目していると判断し、提示されている情報と上記ＬＥＤとの距離が短い程、その注目度の度合いが高いと推測する。
【００３８】
一方、環境データベース４０に蓄積されている変化情報を検索し（Ｓ５）、この検索された変化情報と、現在におけるユーザの注目度合いとに基づいて、変化情報の提示内容が、定期的に決定され（Ｓ６）、決定された提示内容（変化情報）をプロジェクタＰに出力し（Ｓ７）、これによって、変化情報が環境に提示される。
【００３９】
［ユーザの注目度認識方法］
本実施例では、カメラＣｐから得られる画像に基づいて、提示されている情報Ｉに対するユーザの注目度を推定する。ユーザが、提示されている情報Ｉに、はっきりと気付きしかも興味を持っているかどうかを知る場合、予め決められた方法で注目度を、ユーザに明示してもらい、環境変化伝達装置Ａ１が、上記明示された注目度合いを認識する。
【００４０】
［ユーザに注目度を明示してもらう方法］
ユーザに注目度を明示してもらう場合、本実施例では、近年多くの人が常に携帯している携帯電話やＰＤＡ等の携帯端末Ｔを用いる。
【００４１】
本実施例は、所定の情報に対してユーザが注目した場合、指し棒や虫眼鏡を使うことをメタファとして利用している。つまり、本実施例では、所定の情報に対してユーザが注目した場合、あたかも指し棒や虫眼鏡を使うように、携帯端末を利用してもらう。人は、情報に注目したときには、指し棒でその情報を指し示したり、自分が見ているところをペンでなぞったりする。また、見ている情報に注目し、さらに詳細に見たいときには、虫眼鏡を使って拡大する。そこで、近年多くの人が常に携帯している携帯電話や、ＰＤＡ等、携帯端末Ｔに、指し棒、虫眼鏡の機能を持たせ、ユーザが、上記指し棒、虫眼鏡の機能を使用したときに、提示されている情報Ｉに、ユーザが注目していると解釈する。
【００４２】
［携帯端末Ｔによる情報の指し示し方法］
携帯端末Ｔによって情報を指し示す場合、携帯端末ＴのＬＥＤ付アンテナを、指し棒として使う。環境変化伝達装置Ａ１は、カメラＣｐから取得する画像上で、点灯している携帯端末ＴのＬＥＤと、提示されている情報Ｉの領域との重なりを検知し、この検知された重なり領域に提示されている情報Ｉについて、ユーザが注目していると解釈する。また、携帯端末ＴのＬＥＤが消灯した場合や、情報が提示されていない領域へＬＥＤを移動した場合、提示されている情報Ｉから、ユーザの注目が離れたと解釈する。
【００４３】
携帯端末ＴのＬＥＤと、提示されている情報Ｉとの重なりは、カメラＣｐの角度によって異なるが、ＬＥＤが提示されている情報Ｉに十分近ければ、それほど誤差はでない。また、カメラＣｐを複数台、用いれば、携帯端末ＴのＬＥＤと提示されている情報Ｉとの３次元的な位置関係を考慮することもできる。複数台のカメラＣｐを用いた３次元位置計測に関しては、多くの研究が行われているので、その詳細な説明を割愛する。
【００４４】
［携帯端末Ｔによる情報の注目方法］
現在、実環境に関連付けられている情報を、携帯端末を利用して読み出す研究が行われている。たとえば、Ｎａｖｉｃａｍ（たとえば、非特許文献７参照）では、実環境に貼り付けられたマーカ（２次元バーコード）を、携帯端末に付いているカメラで読み込むことによって、その場の詳しい情報を、携帯端末上に表示する。
【００４５】
携帯端末Ｔを通して見ると、ちょうど虫眼鏡で見るように情報が補強されるので、このような方式は、虫眼鏡メタファと呼ばれている。またＶＣＣ（Visual Computer Communication）（たとえば、非特許文献８参照）では、コンピュータ画面上に、マーカを提示するという方式を提案している。
【００４６】
提示されているマーカを、携帯端末ＴのカメラＣｔを通して認識する行動は、提示されている情報Ｉに対するユーザの注目度が高くなければ起こらないと考えられる。
【００４７】
そこで、携帯端末Ｔを通してユーザが情報を見るという行動があれば、ユーザが情報に注目している状態であると解釈する。
【００４８】
実際には、「注目判断方式Ａ」を採用する。上記「注目判断方式Ａ」は、提示されている情報Ｉと情報特定マーカＭｉとを、携帯端末Ｔ搭載のカメラＣｔが認識すれば、提示されている情報Ｉに、ユーザが注目していると判断する方式である（情報特定マーカＭｉ検出による注目判断方式）。なお、情報特定マーカＭｉは、情報Ｉを特定するマーカであり、上記提示されている情報Ｉに付与されている。
【００４９】
図３は、上記実施例における注目判断方式Ａ（情報特定マーカＭｉ検出による注目判断方式）の基本的な処理の流れを示す説明図である。
【００５０】
図４は、上記実施例における注目判断方式Ａ（情報特定マーカＭｉ検出による注目判断方式）の基本的な処理の流れを示すフローチャートである。
【００５１】
提示されている状況の詳細を、ユーザが知りたいと思ったときに、図３（１）に示すように、提示されている情報Ｉ（たとえば、痕跡）上に、カメラＣｐ付の携帯端末Ｔを翳す（Ｓ１１）。これによって、提示されている情報Ｉに埋め込まれている情報特定マーカＭｉを、携帯端末Ｔが読み取り（Ｓ２１）、図３（２）に示すように、情報特定マーカＭｉと携帯端末Ｔとの相対的な位置関係と、提示されている情報ＩのＩＤとを取得する（Ｓ２２、Ｓ２３）。そして、読み取られた位置関係と、提示されている情報ＩのＩＤとを、処理装置３０の注目度取得部３４に送信する（Ｓ２４）。
【００５２】
処理装置３０と通信する場合における提示されている情報ＩのＩＰアドレスを、投影されている情報特定マーカＭｉに埋め込むことによって、携帯端末Ｔに、ＩＰアドレスを伝達することができる。
【００５３】
注目度取得部３４は、上記位置関係と、提示されている情報ＩのＩＤとを、携帯端末Ｔから受信し（Ｓ３１）、この受信した位置関係とＩＤ情報とを、注目度認識部３５に送り、注目度認識部３５が、痕跡（提示されている情報）のＩＤに対応する環境の変化（詳細情報）を、環境データベース４０から検索し（Ｓ３２）、位置関係に基づいて検索された環境の情報が、ユーザが注目している情報であるかどうかを判定する（Ｓ３３）。
【００５４】
そして、ユーザが注目していると判定された際には、注目している情報であると判定された情報Ｉの詳細情報（たとえば、過去に貼られていた掲示物の画像）を、携帯端末Ｔと情報Ｉとの位置関係に基づいて、加工し、図３（３）に示すように、携帯端末Ｔに送り返す（Ｓ３４）。そして、環境変化伝達装置Ａ１から送られた注目している情報に関する詳細情報を受信し（Ｓ２５）、この受信した詳細情報を、図３（４）に示すように、携帯端末Ｔ上に提示する（Ｓ２６）。
【００５５】
なお、提示されている情報Ｉを特定するために、提示されている情報ＩのＩＤを投影する必要があるので、プロジェクタＰが、提示されている情報ＩのＩＤを含む情報特定マーカＭｉを投影する。
【００５６】
図５は、上記実施例において、提示されている情報Ｉと携帯端末Ｔとの位置関係に基づいて、提示されている情報Ｉにユーザが注目しているかどうかを判定する方法の説明図である。
【００５７】
壁ＷＬに提示されている情報Ｉに、ユーザが携帯端末Ｔを翳した際に、携帯端末Ｔに搭載されているカメラＣｔと、提示されている情報Ｉと特定する情報特定マーカＭｉとの距離が、ある閾値の範囲内であり、しかも、携帯端末Ｔが向いている方向から、所定の角度閾値αの範囲内に、提示されている情報Ｉが存在していれば、その提示されている情報Ｉにユーザが注目していると判断する。
【００５８】
たとえば、距離の閾値をｓとし、携帯端末Ｔの法線との角度の閾値を、αとし、携帯端末Ｔに搭載されているカメラＣｔと、情報特定マーカＭｉとの距離を、ｌとし、カメラＣｔと情報特定マーカＭｉとを結んだ直線と、携帯端末Ｔの法線とがなす角を、θとすると、θ＜αであり、しかも、ｌ＜ｓであれば、その提示されている情報Ｉに、ユーザが注目していると判断することができる。
【００５９】
次に、「注目判断方式Ｂ」について説明する。上記「注目判断方式Ｂ」は、提示されている情報Ｉと携帯端末特定マーカＭｔとを、プロジェクタＰ搭載のカメラＣｐが認識すれば、提示されている情報Ｉに、ユーザが注目していると判断する方式である（携帯端末特定マーカＭｔ検出による注目判断方式）。
【００６０】
情報特定マーカＭｉを環境側に投影する方式は、環境に提示されている情報Ｉの表現を損ねる可能性があり、また、携帯端末ＴにカメラＣｔを搭載する必要がある。
【００６１】
携帯端末Ｔ上に表示されている携帯端末特定マーカＭｔを、環境に設置されたカメラＣｐが読み取ることによって、携帯端末Ｔの３次元上の位置と向きとを知ることができる。一方、プロジェクタＰが提示している情報における３次元位置も、カメラＣｐを複数台、用いることによって、計測することができる。
【００６２】
これによって、携帯端末Ｔの３次元上の位置と、向きと、提示されている情報Ｉの位置とに基づいて、携帯端末Ｔが提示されている情報Ｉの方向に向いているかどうかを、携帯端末Ｔが、知ることができる。
【００６３】
図６は、上記実施例において、提示されている情報Ｉと携帯端末特定マーカＭｔとを、カメラＣｐが認識すれば、提示されている情報Ｉに、ユーザが注目していると判断する方式（注目判断方式Ｂ）による処理を説明する図である。
【００６４】
図７は、上記実施例において、提示されている情報Ｉと携帯端末特定マーカＭｔとを、カメラＣｐが認識すれば、提示されている情報Ｉに、ユーザが注目していると判断する方式（注目判断方式Ｂ）による処理を示すフローチャートである。
【００６５】
ユーザが、図６（１）に示すように、携帯端末Ｔを情報に翳したときに（Ｓ１１）、携帯端末Ｔの画面に、プロジェクタＰに搭載されているカメラＣｐが読み取り可能な情報特定マーカＭｉを表示する。処理装置３０は、提示されている情報Ｉに付与されている情報特定マーカＭｉを読み取り、図６（２）に示すように、ユーザの携帯端末ＴのＩＤと、提示されている情報Ｉと携帯端末Ｔとの位置関係とを計測する（Ｓ４１、Ｓ４２）。
【００６６】
位置関係を正確に計測するためには、環境変化伝達装置Ａ１側に、カメラＣｐを複数台用意し、３次元測量をする必要がある。処理装置３０は、読み取った位置関係に基づいて、ユーザが注目している情報を判定し（Ｓ４３）、図６（３）に示すように、ユーザの携帯端末Ｔに詳細情報を送信する（Ｓ４４）。位置関係からの基本的な判定方法は、注目判断方式Ａと同じである。携帯端末Ｔと処理装置３０とは、読み取ったＩＤを利用して通信が可能である。たとえば、ユーザの携帯端末ＴのＩＰアドレスを、携帯端末特定マーカＭｔ（携帯端末Ｔ付されている）に埋め込むことによって、処理装置３０は、携帯端末Ｔを特定することができる。そして、最後に、図６（４）に示すように、ユーザの携帯端末Ｔが詳細情報を受信し（Ｓ２５）、ユーザの携帯端末Ｔ上に、上記受信した詳細情報を提示する（Ｓ２６）。
【００６７】
次に、上記注目判断方式Ａ、上記注目判断方式Ｂの特徴について説明する。
【００６８】
注目判断方式Ａは、提示されている情報Ｉと携帯端末Ｔとの位置関係を、携帯端末Ｔに搭載されているカメラＣｔが読み取るので、誤差が含まれ難く、かなり正確な位置関係を読み取ることができるという利点がある。このために、正確な位置関係を利用したビデオオーバーレイ等も可能である。たとえば、携帯端末Ｔに搭載されているカメラＣｔが得た映像に、過去の情報（たとえば、過去のその場所に貼られていた貼り紙）を、重ねて携帯端末Ｔの画面に表示することができる。
【００６９】
一方、注目判断方式Ａの欠点は、提示されている情報Ｉに付加されている情報特定マーカＭｉを読み取るために、カメラＣｔ等、特殊なデバイスを携帯端末Ｔに設ける必要がある点や、付加された情報特定マーカＭｉが、提示されている情報Ｉの表現を壊す惧れがあるという欠点である。
【００７０】
注目判断方式Ｂ（提示されている情報Ｉと携帯端末特定マーカＭｔとを、カメラＣｐが認識すれば、提示されている情報Ｉに、ユーザが注目していると判断する方式）を使用する場合、たとえば、提示されている情報に電子透かしとして、ＩＤや環境変化伝達装置Ａ１のアドレスを埋め込み、それをカメラＣｐで読み込む方法や、情報特定マーカＭｉを非可視領域の波長（たとえば赤外線）で投影し、非可視領域で処理する方法等が挙げられる。ただし、その場合には、注目判断方式Ｂにおいては、非可視領域の画像を取得することができるカメラＣｐを必要とするという欠点がある。
【００７１】
注目判断方式Ｂは、携帯端末Ｔとして、特殊なデバイスを必要とせず、また、提示された情報に情報特定マーカＭｉを付加する必要もないので、注目判断方式Ａにおける欠点がない。
【００７２】
一方、注目判断方式Ｂでは、携帯端末Ｔに提示されている携帯端末特定マーカＭｔを、環境に設置されたカメラＣｐで読み込む必要があるので、オクルージョン（視点の妨害）が発生しやすい。
【００７３】
つまり、携帯端末Ｔを持つ人や、その他の物に、マーカＭｔが隠れ、カメラＣｐが携帯端末特定マーカＭｔを読み込むことができない可能性が高いという欠点がある。この欠点を解消するには、カメラＣｐの台数を増やし、複数の角度から携帯端末特定マーカＭｔを読み込めばよく、このようにすることによって、オクルージョンの発生確率を下げる。
【００７４】
［位置関係を取得する方法］
上記実施例は、カメラを用いることによって、携帯端末Ｔと、提示されている情報Ｉとの位置関係を調べる実施例であるが、携帯端末Ｔと、提示されている情報Ｉとの位置関係を調べる場合、その他の各種位置計測技術を用いるようにしていもよい。たとえば、提示されている情報Ｉの３次元位置を、複数台のカメラＣｐを利用して計測し、ＰＳＤ（Position sensitive detector）を用いることによって、携帯端末Ｔの位置を調べるようにしてもよい。
【００７５】
［位置計測をしない方法］
注目判断方式Ａ、注目判断方式Ｂともに、マーカを利用し、提示されている情報Ｉと携帯端末Ｔの位置関係とを計測する方式であるが、３次元位置を計測しない簡易的方法を採用するようにしてもよい。
【００７６】
たとえば、注目判断方式Ａにおいて、情報特定マーカＭｉを、携帯端末Ｔに搭載されているカメラＣｔが読み込んだ際に、３次元位置関係を計測しなくてもよい。この場合、提示されている情報Ｉと情報特定マーカＭｉとの正確な位置関係がわからないが、携帯端末Ｔに搭載されているカメラＣｔの多くは、解像度が低く、望遠レンズ等を搭載している場合が少ないので、所定距離以上離れた位置から、一定の大きさの情報特定マーカＭｉを読み取ることは、画像認識的に困難であり、また多くの場合、情報特定マーカＭｉとの距離が長くなると、カメラＣｔと情報特定マーカＭｉとの間に障害物が入る可能性が高くなる。
【００７７】
この場合、上記簡易方法を用いると、情報特定マーカＭｉの画像を処理し、３次元位置関係を計算する必要がないというメリットがあり、３次元位置を計測不可能なタイプの情報特定マーカＭｉも利用できるというメリットがある。
【００７８】
また、注目判断方式Ｂ（提示されている情報Ｉと携帯端末特定マーカＭｔとを、カメラＣｐが認識すれば、提示されている情報Ｉに、ユーザが注目していると判断する方式）においては、上記指し棒方式のように、携帯端末Ｔ上の携帯端末特定マーカＭｔと、提示されている情報Ｉとの重なりを、環境に設置されているカメラＣｐから得られる画像に基づいて認識し、重なっていた場合を注目したと判断するようにしてもよい。
【００７９】
［詳細情報をブロードキャストする方法］
注目判断方式Ａ（提示されている情報Ｉと情報特定マーカＭｉとを、カメラＣｔが認識すれば、提示されている情報Ｉに、ユーザが注目していると判断する方式）では、環境変化伝達装置Ａ１と携帯端末Ｔとの間で双方向通信を行うので、情報特定マーカＭｉにＩＰアドレスを埋め込む。しかし、環境変化伝達装置Ａ１が担当する環境の詳細情報を、常にブロードキャストすることによって、情報特定マーカＭｉにＩＰアドレスを埋め込む必要がなくなる。つまり、常にブロードキャストすることによって、片方向通信での実現も可能になる。
【００８０】
たとえば、携帯端末ＴのカメラＣｔで情報特定マーカＭｉを読み取り、この読み取った情報特定マーカＭｉから、提示されている情報ＩのＩＤを、携帯端末Ｔが取得し、ブロードキャストされている詳細情報のうちで、該当するＩＤの詳細情報のみを携帯端末Ｔに表示すればよい。このようにすることによって、携帯端末Ｔと環境変化伝達装置Ａ１との間で、双方向通信を行わなくてもよい。
【００８１】
［携帯端末Ｔを利用した注目度合いの明示方法］
上記注目判断方式Ａ、注目判断方式Ｂは、虫眼鏡メタファを利用しているが、虫眼鏡を実際に利用する際には、虫眼鏡を対象物（提示されている情報Ｉ）に近づけたり、遠ざけたりすることによって、対象物の細部を拡大し、また、全体を概観する。
【００８２】
対象物への注目度合いが変化していると、眼鏡を対象物に近づけたり、遠ざけたりする動作を検出することができる。そこで、提示されている情報Ｉに注目していることを明示した後に、提示されている情報Ｉに、携帯端末Ｔを近づけたり、遠ざけたりした場合、ユーザの注目度合いが変化したと、環境変化伝達装置Ａ１が認識する。
【００８３】
基本的な方法としては、注目判断方式Ａ、注目判断方式Ｂは、提示されている情報Ｉと携帯端末Ｔとの位置関係を読み取るので、提示されている情報Ｉと携帯端末Ｔとの距離に応じて、注目度合いを示すパラメータを変化させる。
【００８４】
たとえば、提示されている情報Ｉと携帯端末Ｔとの距離であって、所定の情報Ｉに注目しているときにおける距離を基準距離と、この基準距離を、ｌとし、現在の携帯端末Ｔと情報との距離を、ｌ’とすると、注目度合いｃは、次の式（１）によって示すことができる。
注目度合いｃ＝ｆ（ｘ）＝ｆ（ｌ−ｌ’）  …  式（１）
なお、ｆ（ｘ）は、システム設計者が注目度合いを求めるために設定した関数である。
【００８５】
ただし、注目判断方式Ａ、注目判断方式Ｂでは、カメラを利用して位置関係を取得するので、ある程度のタイムラグが発生する可能性が高い。そこで、リアルタイム性をさらに高める方法として、携帯端末Ｔに、加速度計を設けるようにしてもよい。
【００８６】
つまり、一軸の加速度計を携帯端末Ｔに搭載し、携帯端末Ｔの画面の鉛直方向の加速度を測る。そして、提示されている情報Ｉに、ユーザが携帯端末Ｔを翳し、翳した携帯端末Ｔを、提示されている情報Ｉに近づけた場合には、プラス（マイナス）の加速度を検出し、一方、提示されている情報Ｉから携帯端末Ｔを遠ざけると、マイナス（プラス）の加速度を検出する。たとえば、注目を明示した時刻から、上記検出した加速度の積分値を、注目度合いとして利用する。
【００８７】
すなわち、カメラからマーカを読み取る方式は、現状では、マーカとの位置関係を読み取るのにかなりの時間がかかり、携帯端末のスペックや高速化の度合いにもよるが、位置関係を計測するまでに、たとえば１ｓｅｃ程度かかることがある。一方、加速度計からは、かなり高速に加速度情報を得ることができるので、携帯端末Ｔの画面の鉛直方向の加速度を測れば、リアルタイム性が向上する。
【００８８】
［ユーザの注目と、注目度合いに基づく提示方法の決定方法］
次に、上記方法で、提示されている情報Ｉにユーザが注目していることを、環境変化伝達装置Ａ１が認識したときに、情報Ｉを提示する方法について説明する。
【００８９】
まず、情報にユーザが注目する以前に、情報が提示されていた場所に、情報を提示する方法（図３、図６）と、ユーザが利用している携帯端末Ｔに、情報を提示する方法とがある。
【００９０】
たとえば、掲示板上に、過去に提示されていた貼り紙の痕跡と、過去にその場所で人が立ち止まっていたことを示す人型の痕跡とを、掲示板上に提示し、貼り紙の痕跡に、ユーザが注目した場合（携帯端末Ｔを痕跡に翳す場合、または、携帯端末Ｔによって指し示す場合）、過去に貼られていた貼り紙の画像を、掲示板上に投射し、また、携帯端末Ｔ上に表示する。
【００９１】
また、注目していることを明示する方法として、携帯端末Ｔを貼り紙の痕跡に翳した場合に、携帯端末Ｔ上に、過去の貼り紙の画像を表示し、また、その携帯端末Ｔを痕跡に、近づけまたは遠ざけることによって、過去の貼り紙の画像を拡大または縮小し、解像度を変化させる。
【００９２】
また、カメラでキャプチャした過去の画像を、環境上や携帯端末Ｔ上に提示する他、掲示板の前の人の通過頻度、貼り紙が貼り替えられた時刻等の数値情報、立ち止まっていたユーザの個人情報（名前等）等も、状況に応じて、環境上や携帯端末Ｔ上に提示する。詳細情報が、画像ではなく、テキストとして、環境データベース４０に登録されていた場合、注目度合いに応じて、携帯端末Ｔ上に表示するテキストの分量を変えるようにしてもよい。たとえば、テキスト形式で登録されている過去に貼られていた掲示物の内容を、注目度に応じて自動要約し、携帯端末Ｔに提示するようにしてもよい。
【００９３】
つまり、上記実施例は、所定の情報を提示する所定情報提示手段と、上記提示されている情報に、ユーザが注目しているかどうかを判別する注目判別手段と、上記提示されている所定情報にユーザが注目しているときにのみ、上記提示されている所定情報に関する詳細な情報を提示する詳細情報提示手段とを有することを特徴とする環境変化伝達装置の例である。
【００９４】
この場合、上記提示されている所定の情報には、上記提示されている所定の情報を特定する情報特定マーカが付与され、上記注目判別手段は、カメラが設けられている携帯端末が、上記提示されている所定の情報に近付いたときに、上記提示されている所定情報にユーザが注目していると判断する手段であり、上記情報特定マーカを、上記携帯端末に設けられている携帯端末用カメラが認識したときに、上記カメラが認識した上記情報特定マーカを受信する情報特定マーカ受信手段と、情報特定マーカと詳細情報とが対応して格納されてい環境データベースと、上記情報特定マーカ受信手段が受信した情報特定マーカに基づいて、上記環境データベースから、対応する詳細情報を検索する詳細情報検索手段と、上記詳細情報検索手段が検索した詳細情報を出力する詳細情報出力手段とを有し、上記詳細情報提示手段は、上記携帯端末の画面であり、上記詳細情報出力手段が出力した詳細情報を提示する画面である。
【００９５】
さらに、上記注目判別手段は、上記携帯端末の位置を３次元的に検出し、上記携帯端末と上記提示されている情報との位置関係が、所定の位置関係であれば、上記提示されている情報をユーザが注目していると判断する手段であり、上記携帯端末から所定の範囲内に、上記提示されている情報が存在し、しかも、上記携帯端末が向いている方向から所定の角度内に、上記提示されている情報が存在していれば、上記提示されている情報の詳細情報を上記携帯端末に出力するようにしてもよい。
【００９６】
そして、上記注目判別手段は、上記携帯端末と上記提示されている情報との位置関係を定期的に計測する手段であり、上記携帯端末から所定の範囲内に、上記提示されている情報が存在しなくなった場合、上記携帯端末が向いている方向から所定の角度内に、上記提示されている情報が存在しなくなった場合、上記情報特定マーカを捕捉できなくなった場合のうちのいずれかの場合に、上記提示されている情報の詳細情報を上記携帯端末に出力することを停止するようにしていもよい。
【００９７】
また、上記注目判別手段は、携帯端末を特定する携帯端末特定マーカが表示されている携帯端末と上記提示されている情報との位置関係が、所定の位置関係であれば、ユーザが注目していると判断する手段であり、上記提示されている情報の詳細情報を格納している環境データベースと、上記携帯端末特定マーカと、上記携帯端末の近くに提示されている情報とを認識する携帯端末・情報特定カメラと、上記携帯端末・情報特定カメラが認識した上記携帯端末特定マーカに基づいて、上記携帯端末を特定する携帯端末特定手段と、上記携帯端末・情報特定カメラが認識した上記提示されている情報に対応する詳細情報を、上記環境データベースから検索する詳細情報検索手段と、上記詳細情報検索手段が検索した詳細情報を、上記携帯端末特定手段が特定した上記携帯端末に出力する詳細情報出力手段とを有し、上記詳細情報提示手段は、上記携帯端末の画面であり、上記詳細情報出力手段が出力した詳細情報を提示する画面であるようにしてもよい。
【００９８】
さらに、ユーザが移動した場合、上記移動後の状態に応じて、提示すべき詳細情報を変化させるようにしてもよい。
【００９９】
また、上記実施例を方法の発明として把握することができる．つまり、上記実施例は、所定の情報を提示する所定情報提示段階と、上記提示されている情報に、ユーザが注目しているかどうかを判別する注目判別段階と、上記提示されている所定情報にユーザが注目しているときにのみ、上記提示されている所定情報に関する詳細な情報を提示する詳細情報提示段階とを有することを特徴とする環境変化伝達方法の例である。
【０１００】
この場合、上記提示されている所定の情報には、上記提示されている所定の情報を特定する情報特定マーカが付与され、上記注目判別段階は、カメラが設けられている携帯端末が、上記提示されている所定の情報に近付いたときに、上記提示されている所定情報にユーザが注目していると判断する段階であり、上記情報特定マーカを、上記携帯端末に設けられている携帯端末用カメラが認識したときに、上記カメラが認識した上記情報特定マーカを受信する情報特定マーカ受信段階と、上記情報特定マーカ受信段階で受信した情報特定マーカに基づいて、上記情報特定マーカと詳細情報とが対応して格納されてい環境データベースから、対応する詳細情報を検索する詳細情報検索段階と、上記詳細情報検索段階で検索した詳細情報を出力する詳細情報出力段階とを有し、上記詳細情報提示段階は、上記詳細情報出力段階で出力した詳細情報を、上記携帯端末の画面に提示する段階である。
【０１０１】
さらに、上記注目判別段階は、上記携帯端末の位置を３次元的に検出し、上記携帯端末と上記提示されている情報との位置関係が、所定の位置関係であれば、上記提示されている情報をユーザが注目していると判断する段階であり、上記携帯端末から所定の範囲内に、上記提示されている情報が存在し、しかも、上記携帯端末が向いている方向から所定の角度内に、上記提示されている情報が存在していれば、上記提示されている情報の詳細情報を上記携帯端末に出力するようにしていもよい。
【０１０２】
そして、上記注目判別段階は、上記携帯端末と上記提示されている情報との位置関係を定期的に計測する段階であり、上記携帯端末から所定の範囲内に、上記提示されている情報が存在しなくなった場合、上記携帯端末が向いている方向から所定の角度内に、上記提示されている情報が存在しなくなった場合、上記情報特定マーカを捕捉できなくなった場合のうちのいずれかの場合に、上記提示されている情報の詳細情報を上記携帯端末に出力することを停止するようにしてもよい。
【０１０３】
また、上記注目判別段階は、携帯端末を特定する携帯端末特定マーカが表示されている携帯端末と上記提示されている情報との位置関係が、所定の位置関係であれば、ユーザが注目していると判断する段階であり、上記携帯端末特定マーカと、上記携帯端末の近くに提示されている情報とを認識する携帯端末・情報特定カメラと、上記携帯端末・情報特定カメラが認識した上記携帯端末特定マーカに基づいて、上記携帯端末を特定する携帯端末特定段階と、上記携帯端末・情報特定カメラが認識した上記提示されている情報に対応する詳細情報を、上記提示されている情報の詳細情報を格納している環境データベースから検索する詳細情報検索段階と、上記詳細情報検索段階で検索した詳細情報を、上記携帯端末特定段階で特定した上記携帯端末に出力する詳細情報出力段階とを有し、上記詳細情報提示段階は、上記詳細情報出力段階が出力した詳細情報を、上記携帯端末の画面に提示する段階であるとしてもよい。
【実施例２】
【０１０４】
実施例１においては、環境検出センサ１０として、また、注目度計測センサ２０としてカメラＣｐを使用し、情報提示装置５０としてプロジェクタＰを使用している。
【０１０５】
本発明の実施例２は、異なるセンサを利用する実施例である。たとえば、環境検出センサ１０として、環境側に圧力センサを敷き詰める手段、静電容量の変移を利用する手段、フォトダイオードを敷き詰める手段等を採用する。たとえば、静電容量計測装置を、壁や床に敷設することによって、人や動物の移動を検知することができる。
【０１０６】
人体を検出する場合、ＳｍａｒｔＳｋｉｎのような方式を採ることによって、照明の影響を受けず、またオクルージョン（視点の妨害）を受けない等の利点があり、また敷き詰められたセンサとの位置関係を非接触で計測することができる。逆に、生体以外のオブジェクト、たとえばポスター等を検出する場合、本方式では困難である。オブジェクト側に金属箔をつける等の工夫が必要である。
【０１０７】
また、物体が設置されたり、ポスターが貼られると、壁面や床面に当たっていた光が遮蔽されるが、フォトダイオード等のセンサを、壁面や床面に敷き詰めることによって、光の変化を検出することができる。物体や人が壁面等に非接触な場合でも、舞台が壁面に近づくことによって影ができるので、本方式も非接触の変化をある程度は検出することができる。
【０１０８】
ただし、影は、光源の位置関係や光源の数によって変化するので、物体等の正確な位置を検出する場合、注意が必要である。もちろん、複数のセンサを併用するようにしてもよい。たとえば、生体については、静電容量を計測することによって検出し、その他の物体については、プロジェクタに搭載されているカメラＣｐを使用して検出するようにしてもよい。
【０１０９】
また、静電容量センサを、注目度計測センサ２０として使用するようにしてもよい。実施例１では、注目と注目度合いとを計測する方法として、虫眼鏡メタファを用いるが、携帯端末Ｔから特定の電波を発生させることによって、静電容量を変化させ、携帯端末Ｔの接近を検知するようにしてもよい。
【０１１０】
また、電波の発信の仕方を工夫することによって、接近している携帯端末ＴのＩＤを読み取るようにしてもよい。たとえば、電波をモールス信号のように時分割で発信すれば、注目度計測センサ２０を介して、携帯端末ＴのＩＤを、環境変化伝達装置Ａ１に伝達することができる。注目度計測センサ２０として、ＲＦＩＤ等の非接触タグを使うようにしてもよい。
【０１１１】
たとえば、ＲＦＩＤを壁面に一定間隔で敷き詰め、ＲＦＩＤリーダ付の携帯端末Ｔを近づけることによって、携帯端末Ｔの位置を非接触に知ることができる。また、複数のＲＦＩＤの読み取り状況と、リーダの読み取り可能範囲（性能）とを比較することによって、携帯端末Ｔが壁面からどの程度離れているかを読み取ることができる。
【０１１２】
一方、情報提示装置５０としては、将来的には電子ペーパを利用する方法が考えられる。電子ペーパは、現在実用化に向けて研究開発が各所で進められているが、たとえば電子ペーパを、壁紙やカーペットとして敷き詰めることによって、壁面や床面の変化があった部分について、提示されている情報Ｉを提示することができる。
【０１１３】
なお、たとえば、環境の一部にディスプレイを埋め込むようにしてもよく、たとえば、床や壁に巨大なプラズマディスプレイを敷き詰めるようにしてもよいが、敷設の手間等を考えると、電子ペーパは、薄くて折り曲げることが可能であるので、床や壁に敷設しやすい。
【産業上の利用可能性】
【０１１４】
本発明は、不特定多数のユーザが利用する環境において、所定の情報に注目したユーザに対してのみ、その情報の詳細情報を提示するサービスに利用することができる。
【０１１５】
たとえば、公共空間の掲示板に、変化を痕跡として提示すると、ユーザは、次のメリットを得ることができる。
【０１１６】
第１に、掲示物を貼り替えた場所に痕跡が残るので、どの掲示板が新着であるのか、また、最近どのあたりに貼られていた掲示物がはがされたのかを、ユーザは知ることができる。第２に、ユーザが立ち止まった場所に痕跡が残るので、ユーザは、最も読まれている掲示物を知ることができる。
【０１１７】
さらに、本発明によれば、掲示板の閲覧について、携帯端末を用いて詳細情報を得ることができので、次の利用方法が考えられる。
【０１１８】
第１に、新着の掲示物に携帯端末を翳すと、この掲示物がいつ貼られたのかという情報を知ることができる。第２に、最近剥がされた掲示物が気になれば、最近掲示物が剥がされたことを示す痕跡に携帯端末を翳すと、貼ってあった掲示物を見ることができる。第３に、所定の掲示物の前に残っているユーザの立ち止まりによる痕跡に、携帯端末を翳すと、上記掲示物の前で、どの位の頻度で、上記掲示物の前で立ち止まっているかの推移を見ることができる（たとえばグラフで見ることができる）。これによって、ユーザは、上記掲示物に、ユーザがどのくらい注目しているのかを知ることができる。
【０１１９】
上記のような付加価値を掲示板に与えることによって、掲示板の閲覧を補助することができ、掲示板の利用効率の向上が期待できる。
【図面の簡単な説明】
【０１２０】
【図１】本発明の実施例１である環境変化伝達装置Ａ１の構成例を示すブロック図である。
【図２】上記実施例における処理の流れを示すフローチャートである。
【図３】上記実施例における注目判断方式Ａ（情報特定マーカＭｉ検出による注目判断方式）の基本的な処理の流れを示す説明図である。
【図４】上記実施例における注目判断方式Ａ（情報特定マーカＭｉ検出による注目判断方式）の基本的な処理の流れを示すフローチャートである。
【図５】上記実施例において、提示されている情報Ｉと携帯端末Ｔとの位置関係に基づいて、提示されている情報Ｉにユーザが注目しているかどうかを判定する方法の説明図である。
【図６】上記実施例において、提示されている情報Ｉと携帯端末特定マーカＭｔとを、カメラＣｐが認識すれば、提示されている情報Ｉに、ユーザが注目していると判断する方式（注目判断方式Ｂ）における処理を説明する図である。
【図７】上記実施例において、提示されている情報Ｉと携帯端末特定マーカＭｔとを、カメラＣｐが認識すれば、提示されている情報Ｉに、ユーザが注目していると判断する方式（注目判断方式Ｂ）における処理を示すフローチャートである。
【符号の説明】
【０１２１】
Ａ１…環境変化伝達装置、
１０…環境検出センサ、
２０…注目度計測センサ、
３０…処理装置、
４０…環境データベース、
５０…情報提示装置、
Ｐ…プロジェクタ、
Ｔ…携帯端末、
Ｃｔ…携帯端末搭載カメラ、
Ｃｐ…プロジェクタ搭載カメラ、
Ｍｉ…情報特定マーカ、
Ｍｔ…携帯端末特定マーカ。
【図１】
2005027216.tif 000003
【図２】
2005027216.tif 000004
【図３】
2005027216.tif 000005
【図４】
2005027216.tif 000006
【図５】
2005027216.tif 000007
【図６】
2005027216.tif 000008
【図７】
2005027216.tif 000009